(57)【要約】  吸水材および色変化部を容易に交換することができる土壌用水分インジケータを提供する。本発明は、水を通さない素材により中空に形成され、長手方向における一端の近傍に配置された吸水用開口、他端の近傍に配置された蒸散用開口を有する本体部と、前記本体部の他端に接続され、内部の中空部を視認可能な表示部と、前記表示部の端部のうち、前記本体部と接続される端部と反対側の端部に、前記表示部と取り外し自在に接続され、前記表示部の中空部に蓋をする上端部と、前記本体部、及び前記表示部の内部において、少なくとも前記吸水用開口から前記表示部まで充填された吸水材と、前記表示部の位置において前記吸水材を覆って配置され、吸水状態と乾燥状態とで色調が変化する色変化部と、を備える。
2019050037.tif 000002
【特許請求の範囲】
【請求項１】
水を通さない素材により中空に形成され、長手方向における一端の近傍に配置された吸水用開口、他端の近傍に配置された蒸散用開口を有する本体部と、
前記本体部の他端に接続され、内部の中空部を視認可能な表示部と、
前記表示部の端部のうち、前記本体部と接続される端部と反対側の端部に、前記表示部と取り外し自在に接続され、前記表示部の中空部に蓋をする上端部と、
前記本体部、及び前記表示部の内部において、少なくとも前記吸水用開口から前記表示部まで充填された吸水材と、
前記表示部の位置において前記吸水材を覆って配置され、吸水状態と乾燥状態とで色調が変化する色変化部と、
を備える土壌用水分インジケータ。
【請求項２】
前記表示部の内径は、前記本体部の内径よりも大きく、前記本体部と前記表示部との間に、前記色変化部の移動を規制する段差部が設けられている、
請求項１に記載の土壌用水分インジケータ。
【請求項３】
前記色変化部を内包する透明な筒を更に備える請求項２に記載の土壌用水分インジケータ。
【請求項４】
前記上端部は、第２の蒸散用開口を有し、
前記吸水材は、前記本体部、前記表示部、及び前記上端部の内部において、前記吸水用開口部から前記第２の蒸散用開口まで充填される、
請求項１から３の何れか１項に記載の土壌用水分インジケータ。
【請求項５】
請求項１に記載の土壌用水分インジケータに用いられる水検出ユニットであって、
前記吸水材と、前記色変化部と、を備える、土壌用水分インジケータに用いられる水検出ユニット。
【請求項６】
前記色変化部を内包する透明な筒を更に備える請求項５に記載の土壌用水分インジケータに用いられる水検出ユニット。
【請求項７】
土壌の水分量に応じて外観に変化が生じる土壌用水分インジケータに用いられる水検出ユニットであって、
不織布を棒状に成形した吸水材と、
前記吸水材の外周に取り付けられ、吸水状態と乾燥状態とで色調が変化する色変化部とを備える、土壌用水分インジケータに用いられる水検出ユニット。
【請求項８】
前記吸水材は、前記不織布を所定径の管に通すことにより棒状に成形したものである請求項７に記載の土壌用水分インジケータに用いられる水検出ユニット。
【請求項９】
前記吸水材は、前記不織布を所定径の管に通して紐状に成形し、さらに捩ることにより棒状に成形したものである請求項７に記載の土壌用水分インジケータに用いられる水検出ユニット。
【請求項１０】
請求項１から４の何れか１項に記載の土壌用水分インジケータに用いられる本体ケースであって、
前記本体部と、前記表示部と、前記上端部とを備える本体ケース。
【請求項１１】
土壌の水分量に応じて外観に変化が生じる土壌用水分インジケータに用いられる水検出ユニットの製造方法であって、
不織布を棒状に成形して吸水材を成形する工程と、
前記吸水材の外周に、吸水状態と乾燥状態とで色調が変化する色変化部を取り付ける工程と、を有する土壌用水分インジケータに用いられる水検出ユニットの製造方法。
【請求項１２】
前記不織布を棒状に成形する工程において、前記不織布を、所定径の管に通すことにより棒状に成形する請求項１１に記載の水検出ユニットの製造方法。
【請求項１３】
前記不織布を棒状に成形する工程において、前記不織布を所定径の管に通して紐状に成形し、さらに捩ることにより棒状に成形する請求項１１に記載の水検出ユニットの製造方法。
【請求項１４】
請求項１０から１２の何れか１項に記載の水検出ユニットの製造方法によって製造された水検出ユニットを前記土壌用水分インジケータの本体部に挿入する工程を有する、土壌用水分インジケータの製造方法。
【発明の詳細な説明】
【技術分野】
【０００１】
本発明は、植物の育成に適した土壌の水分量を維持すべく水遣りのタイミングを示す土壌用水分インジケータに用いられる水検出ユニット、本体ケースおよび水検出ユニットの製造方法に関する。
【背景技術】
【０００２】
植物の育成に適した土壌の水分量を維持させるために、水分量を表示するインジケータが提案されている。例えば、土湿度感知部の電気抵抗の変化に基づき土壌の湿度を計測する植物用電子土湿度計測装置（例えば特許文献１を参照）や、吸水力を有する吸水材と接触するように吸液状態と非吸液状態とで透明性を異にする多孔質層を設け、土壌中の水分量に応じて色彩を異ならしめるインジケータ（例えば特許文献２を参照）が提案されている。これらの他にも、ｐＦメータと呼ばれる測定器が市販されているが、特許文献１に示されているものと同様、指示された数値を読み取る必要があり、価格も高額であることから手軽に利用できるものではない。【０００３】
土の湿り具合は、「ｐＦ値」と呼ばれる値で表わされる。このｐＦ値は、土の中の水が土の毛管力によって引き付けられている強さの程度を表す圧力の単位である。十分に水を含んでいる土の場合、ｐＦ値は小さくなり、植物の根が水を吸いやすいことを示す。逆に土が乾燥してくるとｐＦ値は高くなり、水を吸いあげるには高い力が必要となる。畑地の場合、通常ｐＦ値は１．５〜２．７（成長有効水）でこれ以下では水分過多となり、これ以上では水分不足となる。【０００４】
植物がストレスを持たないｐＦ値は、育成する植物の品種に差はあるもののｐＦ１．７〜２．３の範囲である。このため、インジケータは、植物に応じて適切なｐＦ値を超えた時に土壌が乾燥しすぎていることを表示する必要がある。しかし、特許文献１に記載の植物用電子土湿度計測装置では、水分量の測定に電気的手段を用いているため電池が必要となり、電池が切れた時には測定ができなくなり、表示が不可能となる。また、デジタル表示を読み取らなければ水分量がわからないため、土壌の乾燥度や水遣りの要否を簡単に知ることができない。また、特許文献２のインジケータでは、電池は不要となるものの、色彩の変化が生じる水分量（ｐＦ値）を育成する植物の品種に応じた適切な値に調整することが困難である。【０００５】
そこで、本願発明者らは、所望の度合まで土壌が乾燥したことを可視化し、利用者に知らしめることができる土壌用水分インジケータを創作した（特許文献３参照）。この土壌用水分インジケータは、本体ケースと、本体ケースの内部に収納される吸水材と、本体ケースの表示部の位置において吸水状態と乾燥状態とで色調が変化する色変化部と、を備えている。
【先行技術文献】
【特許文献】
【０００６】
【特許文献１】実用新案登録第３０７０４５０号公報
【特許文献２】実用新案登録第３１３６６２２号公報
【特許文献３】特許第５６９２８２６号公報
【発明の概要】
【発明が解決しようとする課題】
【０００７】
特許文献３に示す土壌用水分インジケータにおいては、本体ケースの内部に収納した吸水材や色変化部を交換できるようにすることが望ましい。例えば、吸水材が劣化した場合や、植物に応じて最適なｐＦ値を判定できる吸水材および色変化部に入れ替えたいこともある。【０００８】
本発明は、吸水材および色変化部を容易に交換することができる、土壌用水分インジケータ、土壌用水分インジケータに用いられる水検出ユニット、本体ケース、水検出ユニットの製造方法、及び土壌用水分インジケータの製造方法を提供することを目的とする。
【課題を解決するための手段】
【０００９】
上記課題を解決するため、本発明は、土壌の水分量に応じて外観に変化が生じる土壌用水分インジケータに用いられる水検出ユニットであって、棒状に設けられた吸水材と、吸水材の外周に取り付けられ、吸水状態と乾燥状態とで色調が変化する色変化部と、を備えたことを特徴とする。このような構成によれば、棒状の吸水材の外周に色変化部が取り付けられた交換可能な水検出ユニットを提供することができる。【００１０】
本発明の土壌用水分インジケータに用いられる水検出ユニットにおいて、吸水材は、不織布と、不織布に付着した高吸水性高分子と、を含んでいてもよい。これにより、不織布によって棒状の形状を構成できるとともに、不織布の密度による吸水性を容易に調整することができるようになる。また、高吸水性高分子によって、不織布による吸水性をより高めることができる。【００１１】
本発明の土壌用水分インジケータに用いられる水検出ユニットにおいて、吸水材は、防腐剤と、バインダと、を含んでいてもよい。この防腐剤によって水検出ユニットの腐食を抑制できるようになる。また、バインダによって防腐剤や高吸水性高分子の吸水材への付着状態を維持することができるとともに、吸水材の保形性を高めることができる。【００１２】
本発明の土壌用水分インジケータに用いられる水検出ユニットにおいて、吸水材は、化学繊維を含み、化学繊維によって構成された吸水材の外周部は、化学繊維によって構成された吸水材の内周部よりも硬く設けられていてもよい。これにより、化学繊維の吸水性と保形性とによって棒状の水検出ユニットを提供することができる。【００１３】
また、本発明は、土壌の水分量に応じて外観に変化が生じる土壌用水分インジケータに用いられる水検出ユニットであって、筒状ケースと、筒状ケースの筒内に収納された吸水材と、筒状ケースの外周に取り付けられ、吸水状態と乾燥状態とで色調が変化する色変化部と、を備えたことを特徴とする。このような構成によれば、筒状ケースを保形部材として吸水材および色変化部が保持され、棒状に構成された交換可能な水検出ユニットを提供することができる。吸水材が筒状ケースの筒内に収納されていることで、長期間使用しない場合でも吸水材が膨らむことがなく、インジケータに容易に装着することができる。【００１４】
本発明の土壌用水分インジケータに用いられる水検出ユニットにおいて、筒状ケースの一端から所定位置までの先端部分は縮径されており、吸水材は、先端部分よりも他端側に収納されていてもよい。これにより、吸水材は筒状ケースの一端から脱落することなく保持される。また、先端部分が縮径されていることで、先端部分から色変化部を差し込むことや、本体ケースに挿入することが容易となる。【００１５】
本発明の土壌用水分インジケータに用いられる水検出ユニットにおいて、色変化部は、筒状ケースに対して摺動可能に取り付けられていてもよい。これにより、吸水材と色変化部とを本体ケースに残したまま、筒状ケースだけを抜き出しやすくなる。【００１６】
土壌用水分インジケータが、水を透過しない材質により中空に形成され、長手方向における一端の近傍に吸水用開口を有し、他端に表示部が設けられる本体ケースを有する場合、吸水材の長さを、本体ケースの吸水用開口から他端までの長さよりも長くしてもよい。これにより、本体ケースに水検出ユニットを挿入した際、吸水材を吸水用開口の位置にセットしつつ、本体ケースの他端から突出するようにセットできる。【００１７】
本発明は、上記の水検出ユニットを収納可能に設けられた本体ケースであって、水を透過しない材質により中空に形成され、長手方向における一端の近傍に吸水用開口を有する本体部と、本体部の他端に接続され、内部の中空空間を視認可能に少なくとも一部が透明の素材で形成された表示部と、を備え、表示部の内径は、本体部の内径よりも大きいことを特徴とする。このような構成によれば、本体ケースに水検出ユニットを挿入した際、本体部に吸水材をセットし、表示部に色変化部をセットすることができる。【００１８】
本発明の本体ケースにおいて、本体部の内径は、水検出ユニットの筒状ケースの外径よりも大きく、色変化部の外径よりも小さく、表示部の内径は、色変化部の外径よりも大きく設けられていてもよい。これにより、本体ケースに筒状ケースごと水検出ユニットを挿入でき、その後、本体部および表示部に吸水材を残し、表示部の位置に色変化部を残したまま、筒状ケースだけを本体ケースから引き抜くことができる。【００１９】
本発明の本体ケースにおいて、水検出ユニットを収納した際、一端から筒状ケースの端部が突出し、他端から吸水材の端部が突出するように設けられていてもよい。これにより、本体ケースに水検出ユニットを収納した後、他端から突出した吸水材の他端を保持した状態で、一端から突出した筒状ケースを引っ張ることで、本体ケースに吸水材および色変化部を残したまま、筒状ケースだけを引き抜くことができる。【００２０】
本発明は、土壌の水分量に応じて外観に変化が生じる土壌用水分インジケータに用いられる水検出ユニットの製造方法であって、筒状ケースの一端から筒内に吸水材を挿入する工程と、筒状ケースの一端から所定位置までの先端部分よりも他端側に吸水材を収納する工程と、筒状ケースの先端部分の径を縮める工程と、筒状ケースの外周に、吸水状態と乾燥状態とで色調が変化する色変化部を取り付ける工程と、を備えたことを特徴とする。これにより、筒状ケースを保形部材として吸水材および色変化部が保持され、棒状に構成された交換可能な水検出ユニットを製造することができる。【００２１】
本発明の水検出ユニットの製造方法において、吸水材を挿入する工程は、吸水材を捩りながら筒状ケースの筒内に挿入してもよい。これにより、吸水材の捩り具合によって吸水材の密度を調整することができる。本発明の水検出ユニットの製造方法において、色変化部を取り付ける工程は、色変化部を筒型にして筒状ケースの一端から差し込むようにしてもよい。これにより、筒状ケースの外側に筒型の色変化部を容易に取り付けることができる。
【発明の効果】
【００２２】
本発明によれば、吸水材および色変化部を容易に交換することができる。
【図面の簡単な説明】
【００２３】
【図１Ａ】図１Ａは、土壌用水分インジケータを例示する正面図である。
【図１Ｂ】図１Ｂは、土壌用水分インジケータを例示する側面図である。
【図２Ａ】図２Ａは、土壌用水分インジケータを例示する分解断面図である。
【図２Ｂ】図２Ｂは、変形例の土壌用水分インジケータを例示する分解断面図である。
【図３】図３は、本実施形態に係る水検出ユニットの構造を例示する模式正面図である。
【図４Ａ】図４Ａは、水検出ユニットの製造方法を例示する模式図である。
【図４Ｂ】図４Ｂは、水検出ユニットの製造方法を例示する模式図である。
【図５Ａ】図５Ａは、水検出ユニットの製造方法を例示する模式図である。
【図５Ｂ】図５Ｂは、水検出ユニットの製造方法を例示する模式図である。
【図６Ａ】図６Ａは、水検出ユニットの製造方法を例示する模式図である。
【図６Ｂ】図６Ｂは、水検出ユニットの製造方法を例示する模式図である。
【図７】図７は、本実施形態に係る本体ケースの構造を例示する模式断面図である。
【図８Ａ】図８Ａは、水検出ユニットによる吸水材および色変化部の装着方法を例示する模式図である。
【図８Ｂ】図８Ｂは、水検出ユニットによる吸水材および色変化部の装着方法を例示する模式図である。
【図９Ａ】図９Ａは、水検出ユニットによる吸水材および色変化部の装着方法を例示する模式図である。
【図９Ｂ】図９Ｂは、水検出ユニットによる吸水材および色変化部の装着方法を例示する模式図である。
【図１０】図１０は、変形例（その１）を例示する模式図である。
【図１１】図１１は、変形例（その２）を例示する模式図である。
【図１２Ａ】図１２Ａは、他の水検出ユニットの構造を例示する模式正面図である。
【図１２Ｂ】図１２Ｂは、他の水検出ユニットの変形例の構造を例示する模式正面図である。
【図１３Ａ】図１３Ａは、他の水検出ユニットの製造方法を例示する模式図である。
【図１３Ｂ】図１３Ｂは、他の水検出ユニットの製造方法を例示する模式図である。
【図１４】図１４は、他の水検出ユニットの製造方法を例示する模式図である。
【図１５】図１５は、水検出ユニットの製造方法のフロー図である。
【図１６】図１６は、土壌用インジケータの製造方法のフロー図である。
【発明を実施するための形態】
【００２４】
以下、本発明の実施形態を図面に基づいて説明する。なお、以下の説明では、同一の部材には同一の符号を付し、一度説明した部材については適宜その説明を省略する。
【００２５】
（土壌用水分インジケータの構成）
図１Ａおよび図１Ｂは、土壌用水分インジケータを例示する図である。図１Ａには土壌用水分インジケータ１の正面図が示され、図１Ｂには土壌用水分インジケータ１の側面図が示される。図２は、土壌用水分インジケータを例示する分解断面図である。これらの図面に示されるように、土壌用水分インジケータ１は、本体部２、先端部３、表示部４、上端部５、吸水材６、及び色変化部７を備える。
【００２６】
本体部２は、水を通さない素材により中空に（例えば筒状に）形成される。本体部２は、具体的には、ポリカーボネート、ＡＢＳ樹脂等のプラスチックや、金属のような水を透過しない素材であればいかなる素材で形成してもよいが、土壌中の水分や微生物の作用により劣化しない素材で形成することが好ましく、この点でポリカーボネートを用いることが好ましい。
【００２７】
本体部２の長手方向における一端には先端部３が接続され、他端には表示部４が接続される。本体部２の先端部３が接続される端部の近傍には、吸水用開口２１が設けられる。本実施形態において、吸水用開口２１は、本体部２の先端部３が接続される端部近傍の両側面に、所定の長さ（例えば２ｃｍ〜５ｃｍ程度）及び幅（例えば１ｍｍ〜３ｍｍ程度）の開口として各側面に２個ずつ設けられる。吸水用開口２１からは、本体部２の内部に挿入される吸水材６が露出する。なお、吸水用開口２１の形状、大きさ、配置、及び数は、上記に限るものではなく、土壌からの吸水が十分に可能であり、且つ、本体部２の強度が確保できる範囲で任意に設計してよい。
【００２８】
本体部２の色は不透明とされるとよく、白色、ベージュ、茶色、黒などの目立たない色、彩度の低い色とするとよい。また色変化部７の色が目立ちやすいように、色変化部７の色と補色或いは反対色の関係にある色とするとよい。
【００２９】
本体部２の表示部４が接続される端部の近傍には、蒸散用開口２２が設けられる。本実施形態では、蒸散用開口２２は、本体部２の表示部４が接続される端部近傍の両側面に、所定の長さ（例えば５ｍｍ〜１５ｍｍ程度）及び幅（例えば１ｍｍ〜３ｍｍ程度）の開口として各側面に１個ずつ設けられる。蒸散用開口２２は、吸水材６により吸い上げられた土壌中の水分を蒸発させ、大気中に放出させるための開口である。なお、蒸散用開口２２の形状、大きさ、配置、及び数は、上記に限るものではなく、吸水材の乾燥速度や色変化部７に色調変化が生じるｐＦ値が適切となる範囲で任意に設計してよい。
【００３０】
本体部２の表示部４が接続される端部は、表示部４の断面形状に合わせて例えば楕円形の断面に形成される。本体部２の他の部分の断面は円形であるため、この端部の近傍において、端部に近づくほど正面から見た幅が広がり断面が楕円に変化するように形成される。また、本体部２の側面には、土壌中に挿し込むべき深さの目安となる案内線２３が設けられる。案内線２３は吸水用開口２１から蒸散用開口２２が設けられた端部の方向に１ｃｍ程度の位置に設けられ、土壌用水分インジケータ１は、案内線２３が土壌の表面と略一致する深さまで挿し込まれた状態で使用される。
【００３１】
使用状態において植木鉢等の容器の縁から表示部４が露出するよう本体部２は、全長５〜４０ｃｍとされることが好ましい。また、土壌への挿し込みを容易とすべく、外径は５〜１０ｍｍ程度とすることが好ましく、十分な強度を有するように内径は４〜８ｍｍ程度とすることが好ましい。
【００３２】
本体部２は、最終的に上述のような構造に形成されればいかなる方法により作成されてもよく、例えば射出成型により形成されてもよい。また、管状の素材を加工することによって形成されてもよいし、筒状の部材を長手方向に半分に分割した形状の部材に、吸水材６を入れてから接合する方法で形成されてもよい。
【００３３】
先端部３は、上述の通り本体部２の一端に接続され、本体部２の一端の開口を封止する。本体部２と先端部３との接続方法は任意であり、例えば本体部２の一端を先端部３に圧入することにより接続してもよいし、螺合により接続してもよい。先端部３は、例えば円錐形ように先端ほど細くなる尖った形状に形成される。先端部３は、土壌用水分インジケータ１を土壌に挿し込んで使用する際に先端となる部材であり、尖った形状を有することで土壌に円滑に差し込むことを可能とする。また、先端部３は、本体部２の一端を封止することにより、土壌用水分インジケータ１を土壌に挿し込む際に土が本体部２の内部に侵入することを防ぎ、吸水用開口２１と土壌との接触条件が挿し込み方によって変わらないようにすることができる。
【００３４】
表示部４は、透明の中空部材であり、上述の通り本体部２の他端に接続される。本体部２と表示部４との接続方法は任意であるが、例えば本体部２の端部に表示部４を圧入することにより接続するとよい。表示部４は、全周に亘って内部の中空空間を視認可能となるように透明の素材で形成される。表示部４は無色であることが好ましいが、表示部４の内部の中空空間に配される色変化部７の色調の変化が確認できれば色彩を有してもよい。また、表示部４は、必ずしも全周に亘っての中空空間を視認可能であることが好ましいが、これは必須ではなく、少なくとも一部が透明で中空空間を視認可能であればよい。本体部２の他端に表示部４を接続することで本体ケース２０が構成される。
【００３５】
上端部５は、表示部４における本体部２と接続されるのとは反対側の端部に接続され、表示部４の中空部に蓋をして土壌用水分インジケータ１の上端を規定する。上端部５は、表示部４の断面形状に合わせて例えば楕円形の断面となるように形成される。上端部５の両側面には、蒸散用開口５１（本発明の第２の蒸散用開口の一例）が所定の長さ（例えば５ｍｍ〜１５ｍｍ程度）及び幅（例えば１ｍｍ〜３ｍｍ程度）に亘る開口として各側面に１個ずつ設けられる。蒸散用開口５１は、本体部２に設けられた蒸散用開口２２と同様、吸水材６により吸い上げられた土壌中の水分を蒸発させ、大気中に放出させるための開口である。なお、蒸散用開口５１の形状、大きさ、配置、及び数は、上記に限るものではなく、吸水材６の乾燥速度や色変化部７に色調変化が生じるｐＦ値が適切となる範囲で任意に設計してよい。また、蒸散用開口２２と蒸散用開口５１のいずれか一方のみを備えるように設計してもよい。
【００３６】
吸水材６は、本体部２、表示部４、及び上端部５の内部の中空空間に、少なくとも吸水用開口２１から上端部５の蒸散用開口５１までの範囲に充填される。なお、上端部５が蒸散用開口５１を備えない態様においては、吸水材６は、少なくとも吸水用開口２１から表示部４までの範囲に充填されればよい。吸水材６は、毛細管現象により土壌中の水分を吸水用開口２１から表示部４の高さまで重力に逆らって吸い上げる。十分な吸引力を発揮するために、吸水材６は目の細かい繊維を用いることが好ましい。また、吸水材６は油分が十分に除かれた素材であることが好ましい。例えば吸水材６として、精錬漂白加工して油分を取り除いた綿布を捩って棒状にしたものを用いるとよい。
【００３７】
色変化部７は、吸水状態と乾燥状態とで色調が変化するハイドロクロミック（hydrochromic）インクを含んだシート状の素材である。色変化部７は、表示部４を介して外部から視認可能な位置において吸水材６の全周を覆い、吸水材６に密着して配置される。このような配置により、色変化部７は、土壌中に水分が十分にあって吸水材６が水分を吸って湿っているときと、土壌中が乾燥しそれに伴い吸水材６も乾燥しているときとで異なる色調を示す。この色調の変化は、吸水材６の全周に亘り生じる。色変化部７が含むハイドロクロミックインクは、例えば、乾燥時には白、吸水時に青の色調を示すインクのように、吸水状態と乾燥状態とで色調が明確に変化することが好ましい。色調の変化は、表示部４から観察することができる。ここで、図２Ｂは、変形例の土壌用水分インジケータを例示する分解断面図を示す。図２Ｂに示すように、色変化部７は、吸水材６の外径よりも大きな内径を有する透明な筒７１に内包してもよい。このようにすれば筒型の形状を維持しやすくなり、製造時の取り扱いが容易になる。
【００３８】
色変化部７を成すシート状の素材としては例えば紙や布を利用可能であるが、吸水材６が乾燥している状態において色変化部７が水分を保持しないよう、吸水材６よりも保水力の劣る素材であることが好ましく、また十分な耐久性を有することが好ましい。また、色変化部７はハイドロクロミックインクが定着しやすい素材であることが好ましい。吸水材６として油分を除去した綿を用いる場合には、例えば、色変化部７を成すシート状の素材として、不織布、吸水材６よりも多くの綿蝋を残した綿布、Ｔ／Ｃブロード（綿とポリエステルの混紡糸によるブロード布地）等を用いるとよい。
【００３９】
土壌用水分インジケータ１が色調変化を示すｐＦ値は、種々のパラメータにより調整することができる。例えば、蒸散用開口２２および５１の断面積や形状により吸水材６の乾燥速度を調整することが可能であり、これにより、色変化部７の色調変化が生じるｐＦ値を調整することができる。具体的には、蒸散用開口２２の断面積を大きくすれば、吸水材６がより速く乾燥するため、色調変化を示すｐＦ値を小さく（つまり土壌中の水分が多くないと反応しないように）調整することができる。その他、本体部２の長さ（特に、吸水用開口２１から表示部４までの長さ）、内径、吸水用開口２１の断面積、吸水材６の素材、吸水材６の密度、捩り具合等によって色調変化を示すｐＦ値を調整することができる。
【００４０】
以上のように構成される土壌用水分インジケータ１は、吸水用開口２１が設けられた一端を土壌中に挿し込んで使用される。この使用状態で、吸水用開口２１から露出した吸水材６は、毛細管現象によって土壌中の水分を吸い上げようとする。土壌中に十分な水分がありｐＦ値が低い場合には、表示部４の付近まで吸水材６が湿った状態となり、表示部４を覆う色変化部７が水分に反応して、吸水状態の色調となる。一方、土壌中に十分な水分がなくｐＦ値が高い場合には、表示部４の付近の吸水材６が乾燥した状態となり、表示部４を覆う色変化部７は乾燥状態の色調となる。土壌が乾燥した時に色調が変化することで、土壌用水分インジケータ１は、利用者に対し土壌の乾燥を表示することができる。この土壌用水分インジケータ１は、水遣りと土壌の乾燥とに応じて吸水状態と乾燥状態とを遷移しつつ、何度も繰り返し使用することができる。
【００４１】
（水検出ユニットの構造）
図３は、本実施形態に係る水検出ユニットの構造を例示する模式正面図である。本実施形態に係る水検出ユニット１０は、先に説明した土壌用水分インジケータ１に用いられるものである。水検出ユニット１０は、筒状ケース１１と、吸水材６と、色変化部７とを備える。筒状ケース１１は、例えば樹脂を円筒型に成形したもので、中空構造となっている。なお、筒状ケース１１は、軟質なフィルムとしてもよいし、ゴム製または紙製のチューブとしてもよい。筒状ケース１１における一端１１ａから所定位置までの先端部分１１１は縮径されている。筒状ケース１１の先端部分１１１よりも他端１１ｂ側は、ほぼ一定の内径および外径を有している。
【００４２】
吸水材６は、筒状ケース１１の筒内に収納される。吸水材６は、筒状ケース１１の先端部分１１１よりも他端１１ｂ側に収納される。吸水材６は、例えば、精錬漂白加工して油分を取り除いた綿布を捩って筒状ケース１１の筒内に収納される。吸水材６は、筒状ケース１１に収納された状態で、筒状ケース１１の他端１１ｂから僅かに突出している。
【００４３】
色変化部７は、筒状ケース１１の外周に取り付けられる。色変化部７は、ハイドロクロミックインクを含んだシート状の素材を筒型にしたもので、筒状ケース１１の外周の所定位置に嵌め込まれている。したがって、吸水材６と色変化部７とは、筒状ケース１１により接触が規制される。色変化部７は、それ自体を筒状に構成してもよいが、筒状ケース１１の外径よりも大きな内径を有する透明な筒の内壁面に、ハイドロクロミックインクを含んだシートを密着させたものとするとよい。このようにすれば筒型の形状を維持しやすくなり、製造時の取り扱いが容易になる。
【００４４】
このような水検出ユニット１０では、筒状ケース１１を保形部材として吸水材６および色変化部７が保持され、棒状に構成される。水検出ユニット１０は、交換部品（いわゆるリフィル）として土壌用水分インジケータ１の完成品とは別に提供されてよい。吸水材６や色変化部７を棒状に構成した水検出ユニット１０によって、土壌用水分インジケータ１に用いる吸水材６や色変化部７を容易に交換することができる。吸水材６や色変化部７を水検出ユニット１０として交換できると、吸水材６が劣化した場合や、植物に応じて最適なｐＦ値を判定できる吸水材６および色変化部７に入れ替えることもできる。また、吸水材６が筒状ケース１１の筒内に収納されていることで、水検出ユニット１０を長期間使用しない場合でも吸水材６が膨らむことがなく、土壌用水分インジケータ１に容易に装着することができる。
【００４５】
（水検出ユニットの製造方法）
図４Ａ、図４Ｂ、図５Ａ、図５Ｂ、図６Ａ、及び図６Ｂは、水検出ユニットの製造方法を例示する模式図である。先ず、図４Ａに示すように、筒状ケース１１を用意する。筒状ケース１１は、一端１１ａから他端１１ｂにかけてほぼ一定の内径および外径を有する円筒形の部材である。
【００４６】
次に、図４Ｂに示すように、筒状ケース１１の他端１１ｂから筒内にピックアップツール２００を挿入する。そして、ピックアップツール２００の先端の鋏部２０１を筒状ケース１１の一端１１ａから露出させる。ピックアップツール２００の鋏部２０１は、レバー２０５を操作することで開閉可能である。
【００４７】
次に、図５Ａに示すように、ピックアップツール２００のレバー２０５を操作して鋏部２０１で吸水材６の端を摘まむ。その後、この状態でピックアップツール２００を回転させながら引っ張る。これにより、吸水材６は筒状ケース１１の筒内に捩られながら引き込まれる。ピックアップツール２００の回転数や引き込み速度を調整することで、吸水材６の筒状ケース１１内での捩れ具合を変えて、吸水特性を変化させることができる。
【００４８】
次に、図５Ｂに示すように、吸水材６を筒状ケース１１の筒内に引き込んだ状態でピックアップツール２００を外す。この際、筒状ケース１１の先端部分１１１には吸水材６を残さないようにする。また、筒状ケース１１の他端１１ｂより僅かに吸水材６を突出させておく。
【００４９】
次に、図６Ａに示すように、筒状ケース１１の先端部分１１１を縮径する。例えば、筒状ケース１１を熱収縮性を有する素材によって形成しておく。そして、先端部分１１１に所定の熱を加えることで収縮させる。先端部分１１１を縮径しておけば、吸水材６は筒状ケース１１の一端１１ａから抜け出ない。
【００５０】
次に、筒状ケース１１の先端部分１１１から色変化部７を挿入する。色変化部７は、予め筒型に形成されている。この筒型の色変化部７を筒状ケース１１の先端部分１１１から挿入する。先端部分１１１は縮径されているので、筒型の色変化部７を容易に挿入することができる。
【００５１】
そして、図６Ｂに示すように、色変化部７を筒状ケース１１の他端１１ｂに近い位置まで挿入することで、水検出ユニット１０が完成する。色変化部７の筒型の内径は、筒状ケース１１の外径と同等にしておく。これにより、色変化部７を筒状ケース１１の外周面に沿って嵌め込むことができる。なお、色変化部７は、筒状ケース１１の外周に摺動可能な程度に嵌め込んでおくことが好ましい。水検出ユニット１０を使用する際、筒状ケース１１のみを抜き出しやすくするためである。
【００５２】
（本体ケースの構造）
図７は、本実施形態に係る本体ケースの構造を例示する断面図である。本実施形態に係る本体ケース２０は、先に説明した土壌用水分インジケータ１に用いられる。本体ケース２０は、水検出ユニット１０を収納可能に設けられている。本体ケース２０は、本体部２と、本体部２の他端に接続された表示部４とを備える。本体ケース２０は筒型に設けられ、本体部２および表示部４ともに長手方向にみて略円形となる中空空間を有する。本体部２の端部には先端部３を取り付けるためのネジや嵌め込み部が設けられ、表示部４の端部には上端部５を取り付けるためのネジや嵌め込み部が設けられる。
【００５３】
このような本体ケース２０において、表示部４の内径ｄ１は、本体部２の内径ｄ２よりも大きくなっている。具体的には、本体部２の内径ｄ２は、水検出ユニット１０における筒状ケース１１の外径よりも大きく、色変化部７の外径よりも小さい。また、表示部４の内径ｄ１は、水検出ユニット１０における色変化部７の外径よりも大きい。本体部２の内径ｄ２よりも表示部４の内径ｄ１のほうが大きいことで、本体ケース２０の内壁における本体部２と表示部４との間に段差部２５が設けられる。
【００５４】
本体ケース２０の筒の内径は水検出ユニット１０の筒状ケース１１の外径よりも大きいため、本体ケース２０の筒内に筒状ケース１１ごと水検出ユニット１０を挿入することができる。また、上記のような内径ｄ１およびｄ２に設けておくことで、後述する吸水材６および色変化部７の装着方法で、本体ケース２０に水検出ユニット１０を収納した後、吸水材６および色変化部７を所定の位置に残したまま、筒状ケース１１を本体ケース２０から引き抜くことができる。
【００５５】
（水検出ユニットによる吸水材および色変化部の装着方法）
図８Ａ、図８Ｂ、図９Ａ、及び図９Ｂは、水検出ユニットによる吸水材および色変化部の装着方法を例示する模式図である。なお、説明の便宜上、図８では本体ケース２０のみ断面図で示す。先ず、図８Ａに示すように、空の本体ケース２０または吸水材６および色変化部７を取り出した本体ケース２０を用意する。次に、本体ケース２０の表示部４側から本体ケース２０の筒内に水検出ユニット１０を挿入する。筒状ケース１１の先端部分１１１は縮径されているため、この先端部分１１１から本体ケース２０の筒内に滑らかに水検出ユニット１０を挿入することができる。
【００５６】
図８Ｂに示すように、本体ケース２０に水検出ユニット１０を挿入すると、筒状ケース１１の先端部分１１１は本体部２の先端から露出する。また、水検出ユニット１０の吸水材６の端は、本体ケース２０の表示部４側の端から露出する状態になる。また、色変化部７は、表示部４の位置に配置される。
【００５７】
次に、図９Ａに示すように、本体ケース２０の本体部２の先端から露出した筒状ケース１１を引っ張り、筒状ケース１１を本体ケース２０から引き抜く。この際、本体ケース２０の表示部４側の端から露出する吸水材６を保持しておき、筒状ケース１１を引き抜く。これにより、吸水材６を本体ケース２０に残したまま、筒状ケース１１のみが引き抜かれる。
【００５８】
また、筒状ケース１１を引き抜く際、色変化部７の移動が規制され、より詳細には、色変化部７は本体ケース２０の内壁における段差部２５に引っ掛かるため、色変化部７を表示部４の位置に残したまま筒状ケース１１が引き抜かれることになる。透明の筒７１を備える場合、透明の筒７１の移動も規制される。すなわち、筒状ケース１１を引き抜く際、色変化部７、及び透明の筒７１は本体ケース２０の内壁における段差部２５に引っ掛かるため、色変化部７を表示部４の位置に残したまま筒状ケース１１が引き抜かれることになる。筒状ケース１１を引き抜いた後は、図９Ｂに示すように、本体ケース２０の先端に先端部３を取り付け、表示部４の端部に上端部５を取り付ける。これにより、本体ケース２０の所定位置に吸水材６および色変化部７を装着した土壌用水分インジケータ１が完成する。
【００５９】
なお、装着した吸水材６および色変化部７を本体ケース２０から抜き出す場合には、上端部５を外して、露出した吸水材６を引き出すようにすればよい。これにより、吸水材６とともに色変化部７が本体ケース２０から抜き出される。空になった本体ケース２０には、必要に応じて新しい水検出ユニット１０を挿入することができる。
【００６０】
（変形例）
図１０は、変形例（その１）を例示する模式図である。図１０に示す例では、水検出ユニット１０の筒状ケース１１から突出する吸水材６の端部に上端部５が取り付けられている。この水検出ユニット１０を本体ケース２０に挿入する場合、水検出ユニット１０の筒状ケース１１を本体ケース２０に挿入した後、上端部５を本体ケース２０の端部に固定する。その後、本体部２の先端から突出する筒状ケース１１を引っ張り、本体ケース２０から引き抜く。この際、吸水材６は上端部５とともに本体ケース２０に保持されているため、吸水材６の端を押さえておく必要はなく、筒状ケース１１のみを容易に引き出すことができる。
【００６１】
図１１は、変形例（その２）を例示する模式図である。図１１に示す例では、本体ケース２０の表示部４側の端部に上端部５を取り付けるためのネジ部２７にスリット２７ａが設けられている。これにより、上端部５をネジ部２７に締め込むことでスリット２７ａが徐々に狭くなり、ネジ部２７の内径が小さくなる。
【００６２】
このような本体ケース２０では、水検出ユニット１０を本体ケース２０に挿入した後、ネジ部２７に上端部５を締め込むことで、ネジ部２７の縮径によって吸水材６の端部をネジ部２７の内側に締結することができる。上端部５を締め込んで吸水材６の端部を固定すれば、本体部２の先端から突出する筒状ケース１１を本体ケース２０から引き抜く際に、吸水材６の端を押さえておく必要はなく、筒状ケース１１のみを容易に引き出すことができる。
【００６３】
（水検出ユニットの構成の変形例）
図１２Ａは、水検出ユニットの構造の変形例を示す模式正面図である。図１２Ａに示す水検出ユニット１０Ｂは、先に説明した土壌用水分インジケータ１に用いられるものである。水検出ユニット１０Ｂは、棒状の吸水材６と、吸水材６の外周に取り付けられた色変化部７とを備える。すなわち、図１２Ａに示す水検出ユニット１０Ｂでは、図３に示す筒状ケース１１を備えていない。水検出ユニット１０Ｂは、水検出ユニット１０と同様に、交換部品（いわゆるリフィル）として土壌用水分インジケータ１の完成品とは別に提供されてよい。
【００６４】
図１２Ａに示した水検出ユニット１０Ｂにおける吸水材６は、それ自体で棒状になるよう保形性を有し、未使用状態における太さが本体ケース２０における本体部２の内径ｄ２よりも細く形成される。このような構成により、水検出ユニット１０Ｂを容易に交換することができる。また、吸水材６は、吸水することにより外径が太くなるよう膨らむことが好ましい。このようにすることで、交換の容易性を確保しつつ、使用時には色変化部７を吸水材６に密着させ、確実に色変化部を変色させることができる。また、水検出ユニット１０Ｂは、使用開始後、素早く（望ましくは、数分〜十数分程度で）土壌中の水分に応じた色調の変化を生じることが好ましい。ここで、図１２Ｂは、他の水検出ユニットの変形例の構造を例示する模式正面図である。図１２Ｂに示すように、水検出ユニット１０Ｂは、吸水材６の外径よりも大きな内径を有し、色変化部７を内包する透明な筒７１を更に備えるものでもよい。このようにすれば筒型の形状を維持しやすくなり、製造時の取り扱いが容易になる。
【００６５】
以上のような特性を担保すべく、吸水材６としては、不織布、スライバ、化学繊維等が用いられる。
【００６６】
吸水材６として不織布を用いる場合、不織布の密度によって吸水性を自由に設定することができる。例えば、不織布の密度を低くすると、低いｐＦ値で色調変化する水検出ユニット１０Ｂを構成することができる。一方、不織布の密度を高くすると、高いｐＦ値で色調変化する水検出ユニット１０Ｂを構成することができる。
【００６７】
吸水材６に不織布を用いる場合、成形した吸水材６に保形性を持たせる目的で、保形剤を塗布、含浸等により添加してもよい。保形剤としては例えばデンプン、カルボキシメチルセルロース、及びこれらの混合物を用いるとよい。
【００６８】
吸水材６の不織布には高吸水性高分子が付着していてもよい。高吸水性高分子は不織布に塗布されている。高吸水性高分子が塗布された不織布を棒状にして圧縮成形することで吸水材６が構成される。この際、高吸水性高分子の付着状態を維持できるように、バインダを含ませてもよい。不織布に高吸水性高分子を付着することで、付着しない場合に比べて高いｐＦ値で色調変化する水検出ユニット１０Ｂを構成することができる。すなわち、土壌がより乾いた状態でも色変化部７の色が変化することになる。なお、上記の実施形態にて説明した水検出ユニット１０に用いる吸水材６に高吸水性高分子を適用してもよい。
【００６９】
また、吸水材６には防腐剤が含まれていてもよい。土壌には様々な菌が存在するため、土壌からの水分吸収とともに吸水材６に菌が混入して腐食させることもある。そこで、吸水材６に防腐剤を含ませておくことによって、水検出ユニット１０Ｂの腐食を抑制できるようになる。なお、吸水材６に防腐剤を含ませる場合、バインダによって防腐剤の付着状態を維持できるようにすることが好ましい。なお、上記の実施形態にて説明した水検出ユニット１０に用いる吸水材６に防腐剤を適用してもよい。
【００７０】
なお、高吸水性高分子や防腐剤の付着状態を維持するために含ませるバインダは、保形性を高める作用を持つ場合がある。
【００７１】
吸水材６として不織布を用いる場合、吸水材６を所望の外径を有する棒状に成形すべく、例えば図１３Ａ、図１３Ｂに示したように、不織布をロール状に巻いて棒状にした上で（図１３Ａ参照）、これをさらに圧縮して成形（図１３Ｂ参照）するとよい。あるいは、図１４に示したように、ピックアップツール２００を用いて所定径の管４０に不織布を通して引き出すことにより不織布をしわくちゃに圧縮し、所望の外径を有する棒状の吸水材６としてもよい。不織布を通す管の内径は、成形後の吸水材が有すべき所望の外形に基づき決定するとよい。上記のようにして引き出し成形した不織布に対して、必要に応じてさらに圧縮成型を行ってもよい。図１３Ａ、図１３Ｂ、及び図１４に示した成形方法は、不織布の密度が低い吸水材を作成するのに好適であり、低いｐＦ値色調変化する水検出ユニット１０Ｂに好適に用いられる。これらの成形方法では、吸水材６の密度が低くなるため、保形剤を添加すると保形剤が吸水性能に及ぼす影響は軽微である。したがって、吸水性能への影響が十分小さい範囲で保形剤を添加し、保形性を高めるとよい。
【００７２】
さらに別の成形方法としては、図１４に示したのと同様に不織布を所定径の管に通すことで紐状とし、さらにこの紐状の不織布を捩じって所望の外径を有する棒状に成形するとよい。このような成型方法は、不織布の密度が高い吸水材６を作成するのに好適であり、高いｐＦ値色調変化する水検出ユニット１０Ｂに好適に用いられる。このような成形方法では、吸水材６の密度が高くなるため、保形剤を添加すると保形剤が吸水性能に悪影響を及ぼし、迅速な色調変化が阻害される場合がある。このため保形剤を用いないことが好ましい。また、バインダが保形剤と同様の機能を奏する場合があるため、高吸水性高分子や防腐剤を不織布に付着させる場合にはバインダと共に用いることが好ましい。
【００７３】
また、吸水材６として綿の繊維が略一方向にそろった状態のスライバを用いる場合には、スライバに保形剤を加えて保形性を持たせるとよい。所望の外径と綿の密度となるように、必要に応じてスライバを圧縮成型するとよい。
【００７４】
また、吸水材６として化学繊維を用いる場合、化学繊維によって構成された吸水材６の外周部を、化学繊維によって構成される吸水材の内周部よりも硬く設けておく。例えば、化学繊維を略円柱状に束ねて構成された吸水材６の外周部分を加熱することで硬化する。これにより、化学繊維による吸水材６が棒状に保形されるとともに、内周部での吸水性を確保できるようになる。吸水材６に化学繊維を用いると、微生物や細菌などにより吸水材が腐食しにくいため、耐久性を高めることができる。
【００７５】
このように、水検出ユニット１０Ｂでは筒状ケース１１が不要のため、水検出ユニット１０Ｂの構成の簡素化および水検出ユニット１０Ｂのコストダウンを図ることができるとともに、様々な特性（吸水性能、耐久性等）の水検出ユニット１０Ｂを作成することができる。なお、ピックアップツール２００に代えて、不織布を引き出す装置を例えば工場に配置し、不織布を用いた棒状の吸水材６を連続的に成形するようにしてもよい。また、引き出し装置によって、不織布を所定径の管に通すことで紐状とし、さらにこの紐状の不織布を捩じって所望の外径を有する棒状に成形するようにしてもよい。不織布を棒状に成形した後、棒状に成形された不織布を切断してもよい。切断した棒状の不織布からなる吸水材６の外周に、色変化部７を取り付けることで水検出ユニット１０Ｂを製造できる。また、透明の筒７１に色変化部７を内包させ、その後、切断した吸水材６を色変化部７と透明の筒７１に通すようにしてもよい。
【００７６】
以上説明したように、実施形態によれば、吸水材６および色変化部７を容易に交換することができる水検出ユニット１０、１０Ｂの製造方法を提供することができる。換言すると、図１５に示すように、土壌用水分インジケータ１に用いられる水検出ユニット１０、１０Ｂの製造方法であって、不織布を棒状に成形して吸水材６を成形する工程（Ｓ０１）と、吸水材６の外周に色変化部７を取り付ける工程（Ｓ０２）と、を有する土壌用水分インジケータ１に用いられる水検出ユニットの製造方法を提供できる。水検出ユニット１０、１０Ｂによって吸水材６および色変化部７を交換できることで、土壌用水分インジケータ１の本体部２はそのままで、使い終えた吸水材６および色変化部７を新しいものに交換して再使用することができる。また、色調変化するｐＦ値の選択や土壌に適した仕様（吸水特性や防腐性など）の水検出ユニット１０、１０Ｂを選択することで、利用者の好みに応じた土壌用水分インジケータ１を容易に構成することができるようになる。なお、水検出ユニット１０、１０Ｂの製造方法は、水検出ユニット１０、１０Ｂを交換しない態様の土壌用水分インジケータ１にも用いることができる。また、製造した水検出ユニット１０、１０Ｂを土壌用水分インジケータ１の本体部４に挿入することで、土壌用水分インジケータの製造方法を提供することができる。換言すると、図１６に示すように、土壌用水分インジケータの製造方法であって、水検出ユニットの製造工程（Ｓ１１）と、水検出ユニットの製造工程（方法）で製造された水検出ユニット１０、１０Ｂを土壌用水分インジケータ１の本体部に挿入する工程を有する土壌用水分インジケータ１の製造方法を提供できる。
【００７７】
なお、上記に本実施形態およびその変形例を説明したが、本発明はこれらの例に限定されるものではない。例えば、前述の各実施形態またはその変形例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７８】
１…土壌用水分インジケータ
２…本体部
３…先端部
４…表示部
５…上端部
６…吸水材
７…色変化部
１０、１０Ｂ…水検出ユニット
１１…筒状ケース
１１ａ…一端
１１ｂ…他端
２０…本体ケース
２１…吸水用開口
２２…蒸散用開口
２３…案内線
２５…段差部
２７…ネジ部
２７ａ…スリット
５１…蒸散用開口
１１１…先端部分
２００…ピックアップツール
２０１…鋏部
２０５…レバー
【図１Ａ】
2019050037.tif 000003
【図１Ｂ】
2019050037.tif 000004
【図２Ａ】
2019050037.tif 000005
【図２Ｂ】
2019050037.tif 000006
【図３】
2019050037.tif 000007
【図４Ａ】
2019050037.tif 000008
【図４Ｂ】
2019050037.tif 000009
【図５Ａ】
2019050037.tif 000010
【図５Ｂ】
2019050037.tif 000011
【図６Ａ】
2019050037.tif 000012
【図６Ｂ】
2019050037.tif 000013
【図７】
2019050037.tif 000014
【図８Ａ】
2019050037.tif 000015
【図８Ｂ】
2019050037.tif 000016
【図９Ａ】
2019050037.tif 000017
【図９Ｂ】
2019050037.tif 000018
【図１０】
2019050037.tif 000019
【図１１】
2019050037.tif 000020
【図１２Ａ】
2019050037.tif 000021
【図１２Ｂ】
2019050037.tif 000022
【図１３Ａ】
2019050037.tif 000023
【図１３Ｂ】
2019050037.tif 000024
【図１４】
2019050037.tif 000025
【図１５】
2019050037.tif 000026
【図１６】
2019050037.tif 000027
【国際調査報告】
2019050037.tif 000028
2019050037.tif 000029
2019050037.tif 000030
2019050037.tif 000031